(57)【特許請求の範囲】
【請求項１】
仮設足場を構築する際、作業床の形成に先立って隣接支柱の相互間に設置される手摺であって、
前記支柱の周壁にそれぞれ設けられたソケットに連係可能な係止部を有し、作業床の外縁部に沿って平行に配置される手摺本体と、該係止部にそれぞれ枢軸を介して回動可能に保持されるとともにその交差姿勢でもって自由端を該係止部の下方で該支柱にそれぞれ連係可能な一対のブレースとを備え、
該係止部は、該手摺本体の端部に溶接部を介して直接つながるベースと、該ベースの下端に垂下保持され、該支柱のソケットに差し込むことによって該手摺本体を支柱に連係させる鉤部とからなり、
該ベースおよび該鉤部は、一体成形された単一部材であり、
前記ブレースは、その自由端に、前記支柱のソケットに連係可能な固定部を備え、
該固定部が、前記支柱の軸芯に平行な軸芯を有する枢軸を介して揺動可能に支持され、該ソケットを上下に挟む挟持部を有するブラケットと、このブラケットの挟持部および該ソケットを貫いてそれらを相互に離脱不能に連結する楔部材からなることを特徴とする曲面用ブレース付き先行手摺。
【請求項２】
仮設足場を構築する際、作業床の形成に先立って隣接支柱の相互間に設置される手摺であって、
前記支柱の周壁にそれぞれ設けられたソケットに連係可能な係止部を有し、作業床の外縁部に沿って平行に配置される手摺本体と、該係止部にそれぞれ枢軸を介して回動可能に保持されるとともにその交差姿勢でもって自由端を該係止部の下方で該支柱にそれぞれ連係可能な一対のブレースとを備え、
該係止部は、該手摺本体の端部に溶接部を介して直接つながるベースと、該ベースの下端に垂下保持され、該支柱のソケットに差し込むことによって該手摺本体を支柱に連係させる鉤部とからなり、
該ベースおよび該鉤部は、一体成形された単一部材であり、
前記鉤部は、外方に向けて凸となる円弧面を有し、前記ソケットの少なくとも一方への差し込み状態を維持したままで前記手摺本体の支柱の周りに沿う回旋を可能とするＵ字状断面をなす二つ折りの折り曲げ片からなることを特徴とする曲面用ブレース付き先行手摺。
【請求項３】
前記ブレースは、その自由端に、前記支柱のソケットに連係可能な固定部を備え、
該固定部が、前記支柱の軸芯に平行な軸芯を有する枢軸を介して揺動可能に支持され、該ソケットを上下に挟む挟持部を有するブラケットと、このブラケットの挟持部および該ソケットを貫いてそれらを相互に離脱不能に連結する楔部材からなることを特徴とする請求項２に記載した曲面用ブレース付き先行手摺。
【請求項４】
前記ベースおよび前記鉤部は、板状部材にプレス加工、曲げ加工を施して一体成形されたものであることを特徴とする請求項１〜３のいずれか１項に記載した曲面用ブレース付き先行手摺。
【発明の詳細な説明】
【技術分野】
【０００１】
本発明は、建築現場や土木工事現場で構築される仮説足場、とくに、円筒形の構造物の周りに沿って構築される円形足場に用いて好適な曲面用ブレース付き先行手摺に関するものである。
【背景技術】
【０００２】
建築現場や土木工事現場において構築される工事用の仮設足場は、複数本の支柱と、これらの支柱を相互につなぐ複数本の腕木材と、該腕木材の相互間に差し渡され、作業床や通路を形成する複数枚の足場板と、該足場板の外側縁部で支柱の相互間に固定保持され、作業床上での安全性を確保する手摺とを適宜組み合わせたもので構成されている。
【０００３】
このうち、作業床上での安全性を確保する手摺は、作業床を形成する前段階で支柱の相互間に予め取り付けられていくことになる（手摺先行工法）が、とくに、円形足場を構築するに当たっては、以下に述べるような不具合があった。
【０００４】
すなわち、円形足場は、図８に示すように、構造物の周りに間隔をおいて複数本の支柱１０を配置して内外二重の支柱列を設け、それらの支柱１０を腕木材１１を介して連結していくことになるが、とくに外側支柱列において支柱同士を連結する場合や内側支柱列において支柱同士を連結する場合にあっては、腕木材１１を構造物の略法線方向に沿わせて配置するのを基本としているため、支柱１０の相互間に手摺を取り付けようとすると、支柱１０の周壁に設けられている手摺取付け部位に「位置ずれ」が生じる箇所が発生して、先行手摺１２の取り付けが困難となることがあり（図８中Ａ部）、そのような箇所では番線を用いて支柱１０に固縛する等して対応しているのが現状であった。
【０００５】
ここに、先行手摺の取り付けが困難となる「位置ずれ」とは、腕木材を支柱につなぐ部材（ソケットやフランジ等）と先行手摺を支柱につなぐ部材（ソケットやフランジ等）は、それぞれ支柱の外周壁で相互に直交する向きに設けられており、また、先行手摺の取り付け部位（手摺本体の端部に一体連結する楔部材等）は手摺本体の軸心に沿って設けられていることから、腕木材を構造物の略法線方向に沿わせて配置すると、先行手摺の取り付け部位と、先行手摺を支柱につなぐ部材との間に角度θがついてしまうことをいい、これにより、それらを相互に連係させることができなくなる。
【０００６】
上記のような従来の不具合を解消する先行技術としては、例えば、特許文献１に開示された足場用手摺が知られている。
【先行技術文献】
【特許文献】
【０００７】
【特許文献１】特開２０１４−８０７９９号公報
【０００８】
かかる文献に開示された手摺は、楔孔を有するフランジを上限に配置した支柱に対して、隣り合う一対の支柱の間に配置される水平材と、この水平材の両端部に枢軸を介して回動自在に枢結するとともに、水平材の下方で相互に交差する一対の斜材とを設け、斜材から枢軸を超えて延設された延長部の上部係止機構を上側フランジの楔孔に係止し、斜材の下端部の下部係止機構を下側フランジの楔孔に係止するに当たり、上部係止機構と下部係止機構に、それぞれ、上側フランジの楔孔と下側フランジの楔孔に対して回動自在に軸着される上部軸部材と下部軸部材を設けた点に特徴を有するものであり、これによれば、足場板が構造物の周りに沿って屈曲状態で配置される円形足場を構築する場合であっても上部係止機構および下部形式機構をそれぞれ上側フランジおよび下側フランジに対してほぼワンタッチの簡単な作業で取り付けることができるとされていた。
【０００９】
ところで、この種の手摺にあっては、支柱に対する取り付け部位が複数部材から構成されており、しかも、それらの部材を複数回の溶接によって接合、一体化を図った構造であるため、手摺の製造に際しては非常に手間が掛かるものであった。
【発明の概要】
【発明が解決しようとする課題】
【００１０】
本発明の課題は、取り付け部位の構造の簡素化を図り、効率的な製造を可能とするとともに、円形足場を構築するに当たって支柱への取り付けを簡便かつ確実に行うことができる曲面用ブレース付き先行手摺を提案するところにある。
【課題を解決するための手段】
【００１１】
本発明は、仮設足場を構築する際、作業床の形成に先立って隣接支柱の相互間に設置される手摺であって、前記支柱の周壁にそれぞれ設けられたソケットに連係可能な係止部を有し、作業床の外縁部に沿って平行に配置される手摺本体と、該係止部にそれぞれ枢軸を介して回動可能に保持されるとともにその交差姿勢でもって自由端を該係止部の下方で該支柱にそれぞれ連係可能な一対のブレースとを備え、
該係止部は、該手摺本体の端部に溶接部を介して直接つながるベースと、該ベースの下端に垂下保持され、該支柱のソケットに差し込むことによって該手摺本体を支柱に連係させる鉤部とからなり、
該ベースおよび該鉤部は、一体成形された単一部材であり、前記ブレースは、その自由端に、前記支柱のソケットに連係可能な固定部を備え、該固定部が、前記支柱の軸芯に平行な軸芯を有する枢軸を介して揺動可能に支持され、該ソケットを上下に挟む挟持部を有するブラケットと、このブラケットの挟持部および該ソケットを貫いてそれらを相互に離脱不能に連結する楔部材からなることを特徴とする曲面用ブレース付き先行手摺である。
【００１２】
また、本発明は、仮設足場を構築する際、作業床の形成に先立って隣接支柱の相互間に設置される手摺であって、前記支柱の周壁にそれぞれ設けられたソケットに連係可能な係止部を有し、作業床の外縁部に沿って平行に配置される手摺本体と、該係止部にそれぞれ枢軸を介して回動可能に保持されるとともにその交差姿勢でもって自由端を該係止部の下方で該支柱にそれぞれ連係可能な一対のブレースとを備え、該係止部は、該手摺本体の端部に溶接部を介して直接つながるベースと、該ベースの下端に垂下保持され、該支柱のソケットに差し込むことによって該手摺本体を支柱に連係させる鉤部とからなり、
該ベースおよび該鉤部は、一体成形された単一部材であり、前記鉤部は、外方に向けて凸となる円弧面を有し、前記ソケットの少なくとも一方への差し込み状態を維持したままで前記手摺本体の支柱の周りに沿う回旋を可能とするＵ字状断面をなす二つ折りの折り曲げ片からなることを特徴とする曲面用ブレース付き先行手摺である。また、前記ブレースは、その自由端に、前記支柱のソケットに連係可能な固定部を備えていること、そして該固定部が、前記支柱の軸芯に平行な軸芯を有する枢軸を介して揺動可能に支持され、該ソケットを上下に挟む挟持部を有するブラケットと、このブラケットの挟持部および該ソケットを貫いてそれらを相互に離脱不能に連結する楔部材からなる、ものとすることが望ましい。さらに、前記ベースおよび前記鉤部は、板状部材にプレス加工、曲げ加工を施して一体成形されたものであることが好ましい。
【発明の効果】
【００１３】
本発明の曲面用ブレース付き先行手摺によれば、手摺本体の係止部は、ベースと鉤部のからなっているものの、これらは、板状部材にプレス加工、曲げ加工を施して一体成形された単一部材で構成されており、しかも、係止部は、手摺本体とベースとの接合（溶接等）のみ（１箇所）でつなぎ合わせることができるため、構造の簡素化が可能となるとともに手摺を効率的に製造することができる。
【００１４】
また、本発明の曲面用ブレース付き先行手摺によれば、係止部の鉤部を、外方に向けて凸となる円弧面を有するＵ字状断面をなす二つ折りの折り曲げ片からなるもので構成したため、該鉤部の、少なくとも一方をソケットに差し込んだままで該鉤部を起点に手摺本体そのものを支柱の周りに回旋させることが可能となり、これにより、支柱に設けられたソケットと手摺本体の係止部との間に「位置ずれ」が生じていたとしても、その旋回による位置調整により、手摺本体のもう一方の係止部を隣接する支柱に確実に連係させることができる。
【００１５】
さらに、本発明の曲面用ブレース付き先行手摺によれば、ブレースの自由端に、支柱のソケットに連係可能な固定部を設けるようにしたため、先行手摺の、支柱への取り付けをより確実なものとすることができる。
【００１６】
とくに、固定部の構成部材であるブラケットを、支柱の軸芯に平行な軸芯を有する枢軸を介して揺動可能に支持しておくことにより、ブレースの自由端と支柱のソケットとの間に「位置ずれ」があっても、ブラケットの適切な揺動によってその「位置ずれ」を確実に吸収することができる。
【図面の簡単な説明】
【００１７】
【図１】本発明に従う曲面用ブレース付き先行手摺の実施の形態を示した図である。
【図２】図１に示した曲面用ブレース付き先行手摺を支柱に取り付けた状態を示した図である。
【図３】支柱の周壁に設けられたソケットを模式的に示した図である。
【図４】図１に示した曲面用ブレース付き先行手摺の係止部を示した図であり、（ａ）は平面図、（ｂ）は正面図、（ｃ）は右側面図、（ｄ）は背面図である。
【図５】図１に示した曲面用ブレース付き先行手摺の固定部の外観を斜視図で示した図である。
【図６】本発明に従う曲面用ブレース付き先行手摺の取り付け要領の説明図である。
【図７】（ａ）〜（ｄ）は、本発明に従う曲面用ブレース付き先行手摺の取り付け要領の説明図である。
【図８】円形足場（足場板は表示せず）を平面について示した図である。
【発明を実施するための形態】
【００１８】
以下、図面を参照して本発明をより具体的に説明する。
図１は、本発明に従う曲面用ブレース付き先行手摺の実施の形態をその側面について示した図であり、図２は、図１に示した曲面用ブレース付き先行手摺を支柱の相互間に取り付けた状態を示した図である。
【００１９】
図１、２における符号１は、作業床の外縁部に沿って平行に配置される手摺本体である。この手摺本体１は、棒状部材（パイプ等）にて構成されるものであって、その端部には、支柱Ｓの周壁に設けられたソケットＳ１に連係可能な係止部２、３がそれぞれ設けられている。手摺本体１の端部には、図示のような曲げ部を形成することも可能であり、このような曲げ部が形成されている場合には、その末端に係止部２、３が設けられる。
【００２０】
ここに、支柱Ｓの周壁に設けられたソケットＳ１としては、その要部を図３に拡大して示す如く、例えば、上下において貫通する通路を有し、その通路内に係止部２、３を差し入れることができるものが適用されるが、該係止部２、３を支柱Ｓの周壁に連係させることが可能であるならばその構造は開口部を有するフランジ等、適宜変更可能であり、図示のものに限定されることはない。
【００２１】
また、係止部２、３は、手摺本体１の端部に溶接部Ｗを介して直接つながるベース２ａ、３ａと、このベース２ａ、３ａの下端に垂下保持され、支柱ＳのソケットＳ１に差し込むことによって手摺本体１を支柱Ｓに連係させる鉤部２ｂ、３ｂとから構成されるものであって、その平面、正面、側面、背面を図４（ａ）〜（ｄ）に示したように、ベース２ａと鉤部２ｂ、ベース３ａと鉤部３ｂは、板状部材にプレス加工、曲げ加工を施して一体成形された単一部材からなっている。
【００２２】
また、４、５は、係止部２、３のべース２ａ、３ａに枢軸Ｐを介して回動可能に保持されるとともにその交差姿勢でもって自由端４ａ、５ａを係止部２、３の下方で支柱Ｓの周壁に設けられたソケットＳ２に連係させるブレース（筋交い）である。
【００２３】
ブレース４、５の自由端４ａ、５ａには、固定部６、７が設けられている。固定部６、７としては、具体的に、支柱Ｓの軸心Ｏに平行な軸芯Ｌを有する枢軸Ｐ１を介して自由端４ａ、５ａに揺動可能に支持され、ソケットＳ２を上下において挟み込む挟持部６ａ、６ｂ、７ａ、７ｂを有するブラケット６ｃ、７ｃと、このブラケット６ｃ、７ｃの挟持部６ａ、６ｂ、７ａ、７ｂおよびソケットＳ２を上下に貫いてそれらを相互に離脱不能に連結する楔部材８、９からなっている。
【００２４】
ソケットＳ２としては、手摺本体１の係止部２、３の鉤部２ｂ、３ｂを差し入れるソケットＳ１と同様のもの、すなわち、上下において貫通する通路を有し、その通路内に楔部材８、９を差し入れることができるものが適用される。また、ブラケット６ｃ、７ｃの挟持部６ａ、６ｂ、７ａ、７ｂとしては、ソケットＳ２の通路につながり、楔部材８、９の挿通を可能とする、図５に示すような開口部ｈ１、ｈ２を有するものが適用される。
【００２５】
本発明に従う先行手摺において、手摺本体１に設けられた係止部２、３の鉤部２ｂ、３ｂは、図４（ａ）〜（ｄ）に示すように、平面視においてＵ字断面をなした二つ折りの折り曲げ片からなっており、しかも、この鉤部２ｂ、３ｂは、ベース２ａ、３ａと一体成形された単一部材であるから、複数部材を溶接によって接合する工程は不要であり（手摺本体１とベース２ａ、３ａとを接合する１回の溶接でよい）、先行手摺を効率的に製造することができる利点を有している。
【００２６】
また、鉤部２ｂ、３ｂは、外方に向けて凸となる円弧面２ｂ１、３ｂ１が形成されており（図４（ａ）参照）、図６に示すように、ソケットＳ１の少なくとも一方への差し込み状態を維持したままで支柱Ｓ１の周りに容易に回旋させることが可能であるため、円形足場を構築する際に起こり得るソケットＳ１の「位置ずれ」が生じても、それを適宜回旋させることにより容易に位置調整を行うことができるので、係止部２、３の鉤部２ｂ、３ｂをソケットＳ１の通路内に差し込んで手摺本体１を支柱Ｓ１に確実に係止し得る。
【００２７】
また、手摺本体１の取り付けに際してソケットＳ１の「位置ずれ」が生じた場合に、ソケットＳ２についても同様の「位置ずれ」が生じる（ソケットＳ２はソケットＳ１の真下に位置しているため）ことからブレース４、５の自由端４ａ、５ａを支柱Ｓに連係させるのが困難になるが、本発明では、固定部６、７のブラケット６ｃ、７ｃが枢軸Ｐ１を介して揺動可能になっているため、そのブラケット６ｃ、７ｃの揺動による角度調整により簡単に位置合わせを行うことができる。
【００２８】
図７（ａ）〜（ｄ）は、本発明に従う曲面用ブレース付き先行手摺の取り付け要領を片側について示した図である。先行手摺を支柱Ｓに取り付けるには、まず、手摺本体１とブレース４を持ち上げ、図７（ａ）、（ｂ）に示すように係止部２の鉤部２ｂをソケットＳ１に引っ掛ける。次いで図７（ｃ）に示すように手摺本体１の反対側をブレース５とともに持ち上げて手摺本体１を水平にし、鉤部２ｂ、３ｂをそれぞれ支柱ＳのソケットＳ１に差し差し込み、さらに、ブレース４を鉤部３ｂが位置する支柱ＳのソケットＳ２に固定部６を介して固定する一方、ブレース５を鉤部２ｂが位置する支柱ＳのソケットＳ２に固定部７を介して固定すればよい。
【００２９】
なお、手摺本体１の係止部２の鉤部２ｂをソケットＳ１に先に指し込むか係止部３の鉤部３ｂをソケットＳ１に先に指し込むかは任意であり、差し込み順はとくに限定されることはない。また、ブレース４、５の固定順についてもとくに限定されない。
【産業上の利用可能性】
【００３０】
本発明によれば、手摺本体の端部に設けられた係止部の構造の簡素化が可能であるため、曲面ブレース付き先行手摺を効率的に製造できる。また、円形足場を構築する場合であっても手摺本体を支柱のソケットに簡便かつ確実に係止することが可能となる。
【符号の説明】
【００３１】
１  手摺本体
２、３  係止部
２ａ、３ａ  ベース
２ｂ、３ｂ  鉤部
４、５  ブレース
４ａ、５ａ  自由端
６、７  固定部
６ａ、７ａ  挟持部（上挟持部）
６ｂ、７ｂ  挟持部（下挟持部）
６ｃ、７ｃ  ブラケット
８、９  楔部材
１０  支柱
１１  腕木材
１２  先行手摺
Ｓ  支柱
Ｓ１、Ｓ２  ソケット
Ｗ  溶接部
Ｐ、Ｐ１  枢軸
【図１】
0006395222.tif 000002
【図２】
0006395222.tif 000003
【図３】
0006395222.tif 000004
【図４】
0006395222.tif 000005
【図５】
0006395222.tif 000006
【図６】
0006395222.tif 000007
【図７】
0006395222.tif 000008
【図８】
0006395222.tif 000009